(57)【要約】【課題】  床パンの形状や、大きさに制約を受けることなく、浴室内のスペースを拡げることができ、また配管の引き込み箇所を、この引き込み箇所周りに設ける、カウンター等の取り付けに使用できるようにし、有効に活用できるようにする。【解決手段】  床パン１の壁載せ部１ａに下端部２ａを接続し、この下端部２ａに連なる立ち上がり面部２ｂが壁載せ部１ａより外側に張り出している拡張パネル２を備える。拡張パネル２の立ち上がり面部２ｂに、壁裏配管３の貫通部４を、室内側に凸段差状に突き出して形成する。【選択図】      図１
2008248497.tif 000002
【特許請求の範囲】
【請求項１】
床パンの壁載せ部に下端部が接続され、この下端部に連なる立ち上がり面部が壁載せ部より外側に張り出されている拡張パネルを備えてなる浴室ユニットであって、上記の拡張パネルの立ち上がり面部に、壁裏配管の貫通部が室内側に凸段差状に突き出されて形成されていることを特徴とする浴室ユニット。
【請求項２】
請求項１記載の浴室ユニットであって、壁裏配管の貫通部が、拡張パネルの左右方向の中央部に左右対称状に形成されていることを特徴とする浴室ユニット。
【請求項３】
請求項２記載の浴室ユニットであって、壁裏配管の貫通部が、対称線を、浴室の洗い場側と浴槽側との境界線に合わせて形成されていることを特徴とする浴室ユニット。
【請求項４】
請求項１乃至３の何れかに記載の浴室ユニットであって、拡張パネルの下端部が床パンの壁載せ部の上面に合わされる水平状のビス止め面と、このビス止め面の奥側から垂直に立ち上げられている起立面とで断面Ｌ字形に形成され、起立面にビスの頭部を逃すための平面視円弧状の凹みが室外側に凹まれて且つ拡張パネルの左右方向にわたって間隔をあけて複数形成されていることを特徴とする浴室ユニット。
【請求項５】
請求項１乃至４の何れかに記載の浴室ユニットであって、拡張パネルと床パンとの間に斜めにわたされる斜め材を備えて形成されていることを特徴とする浴室ユニット。
【請求項６】
請求項５記載の浴室ユニットであって、斜め材に垂直状に取り付けられる縦材を備えて形成されていることを特徴とする浴室ユニット。
【発明の詳細な説明】
【技術分野】
【０００１】
本発明は浴室ユニットに関し、更に詳しくは床パンの壁載せ部に下端部が接続され、この下端部に連なる立ち上がり面部が壁載せ部より外側に張り出されている拡張パネルを備えてなる浴室ユニットに関するものである。
【背景技術】
【０００２】
従来この種の浴室ユニットとしては、本出願人の提案に係る特許文献１に記載のものがある。この従来品は、床パンの周縁部の一部を室内側に凹ませ、この凹部に外部配管を立ち上げ、また凹部を覆う膨出部を有する壁板部を、床パンの壁載せ部に立設し、上記の外部配管を、膨出部に設けた配管継手を介して室内側に引き込むよう構成している。
また従来この種の浴室ユニットとしては、床パンの壁載せ部に壁パネルを立設し、この壁パネルの裏側の壁裏配管を、壁パネルを貫通して室内側に引き込むよう構成しているものがある（例えば特許文献２参照）。
【０００３】
而して特許文献１に係る従来品は、上記の通り、床パンの周縁部の一部を室内側に凹ませ、この凹部を利用して外部配管を立ち上げ、配管する構造であった。
従ってこの従来品によると、凹部が占める分だけ、洗い場の面積が狭くなり、浴室スペースが狭められる、という問題点があった。
また特許文献２に係る従来品は、配管が貫通する壁パネルの垂直面が、上下方向にわたって同一垂直面状に形成されていた。従ってこれによると、浴室の大きさが洗い場を形成する床パンの大きさに制約される、という不利益があった。
またこの従来品の場合は、配管の引き込み箇所の開口が、壁パネルに、単に孔状に形成されていた。従ってこの従来品の場合は、配管の引き込み箇所が、配管を通す機能を持つのに止まるものであったから、これによると配管周りに取り付けるカウンター等の取り付け作業の容易化に寄与できなかった。
【特許文献１】特開平８−２６６４４０号公報
【特許文献２】特開２００２−１０６００１号公報
【発明の開示】
【発明が解決しようとする課題】
【０００４】
本発明は、このような従来技術の問題点に鑑み、提案されたものである。
従って本発明の解決しようとする技術的課題は、床パンの形状や、大きさに制約を受けることなく、浴室内のスペースを拡げることができ、また配管の引き込み箇所を、配管の引き込み箇所周りに設ける、例えばカウンター等の取り付け作業の容易化に寄与できるよう形成した浴室ユニットを提供することにある。
【課題を解決するための手段】
【０００５】
本発明は、上記の課題を解決するため、次のような技術的手段を採る。
即ち本発明は、図１等に示されるように、床パン１の壁載せ部１ａに下端部２ａが接続され、この下端部２ａに連なる立ち上がり面部２ｂが壁載せ部１ａより外側に張り出されている拡張パネル２を備えてなる浴室ユニットであって、上記の拡張パネル２の立ち上がり面部２ｂに、壁裏配管３の貫通部４が室内側に凸段差状に突き出されて形成されていることを特徴とする（請求項１）。
【０００６】
本発明の場合、壁裏配管３の貫通部４の上面４ａは、例えばカウンターを支持する部材の取り付けが容易になるよう、平面状に形成されているのが好ましい。また貫通部４の室内側への突き出し端は、浴室スペースを狭小化させることがないよう、床パン１の壁載せ部１ａの立ち上がり面１ｂより室外側に位置決めされているのが好ましい。なお本発明は、貫通部４が立ち上がり面部２ｂに形成されているから、貫通部４を水平面部に形成する場合より、漏水のおそれが少なくなるものである。
【０００７】
而して本発明は、図２、図４に示されるように、壁裏配管３の貫通部４が、拡張パネル２の左右方向の中央部に左右対称状に形成されているのが好ましい（請求項２）。
なぜならこれによると、浴槽６の配置位置が、浴室の入口との関係で右側又は左側であっても、１種類の拡張パネル２で対応でき、使い勝手の良い、経済効果の高い浴室ユニットを提供できるからである。
【０００８】
またこの本発明の場合は、図４に示されるように、壁裏配管３の貫通部４が、対称線Ｌ１を、浴室の洗い場５側と浴槽６側との境界線Ｌ２に合わせて形成されているのが好ましい（請求項３）。
なぜならこれによると、洗い場５側の給水栓１３等への接続と、浴槽６側の配管接続箇所との接続を、作業位置を変えることなく、１箇所で効率良く行なうことができ、作業の容易化を図ることができるからである。
【０００９】
また本発明は、図２等に示されるように、拡張パネル２の下端部２ａが床パン１の壁載せ部１ａの上面に合わされる水平状のビス止め面２ａ１と、このビス止め面２ａ１の奥側から垂直に立ち上げられている起立面２ａ２とで断面Ｌ字形に形成され、起立面２ａ２にビスの頭部を逃すための平面視円弧状の凹み２ｃが室外側に凹まれて且つ拡張パネル２の左右方向にわたって間隔をあけて複数形成されているのが好ましい（請求項４）。
なぜならこれによると、拡張パネル２のビス止め箇所を明示でき、ビス止めの間隔を測ることなく、簡単、迅速に、また奥行きの短い箇所で円滑にビス止め作業を行なうことができるからである。
【００１０】
また本発明は、図１に示されるように、拡張パネル２と床パン１との間に斜めにわたされる斜め材７を備えて形成されているのが好ましい（請求項５）。
なぜならこれによると、拡張パネル２の垂直レベル出しを斜め材７で行なうことができ、拡張パネル２の取り付け作業を容易化できると共に、取り付け状態を補強できるからである。
【００１１】
更にこの本発明の場合は、斜め材７に垂直状に取り付けられる縦材８を備えて形成されているのが好ましい（請求項６）。
なぜならこれによると、縦材８によって斜め材７の取り付け状態の強度を一層高めることができ、拡張パネル２等の耐振性や耐衝撃性の向上に役立つからである。
【発明の効果】
【００１２】
本発明は、このように床パンの壁載せ部に下端部が接続されると共に、壁載せ部より外側に立ち上がり面部が張り出されている拡張パネルを備え、この拡張パネルの立ち上がり面部に、壁裏配管の貫通部が室内側に凸段差状に突き出されて形成されているものである。
従って本発明によれば、拡張パネルによって床パンの形状や、大きさに制約を受けることなく、浴室内のスペースを拡げることができる。
また本発明は、配管の引き込み箇所を、配管の引き込み箇所周りに設ける、例えばカウンター等の取り付けに使用できるから、これによれば、この種の部品の取り付け作業の容易化に寄与できる。
【発明を実施するための最良の形態】
【００１３】
以下、本発明を実施するための最良の形態を説明する。
本発明は、図１等に示されるように、床パン１の壁載せ部１ａに下端部２ａが接続されると共に、壁載せ部１ａより外側に立ち上がり面部２ｂが張り出されている拡張パネル２を備えてなる浴室ユニットである。
【００１４】
３は壁裏配管であり、４はこの壁裏配管３を通すための貫通部である。この貫通部４は、この実施形態では正面視で方形に形成され、上記の拡張パネル２の立ち上がり面部２ｂに、室内側に凸段差状に突き出されて形成されている。従って貫通部４の上面４ａは、平面状に形成されている。また貫通部４の室内側への突き出し距離は、床パン１の壁載せ部１ａの立ち上がり面１ｂより室外側に位置決めされている。
【００１５】
また壁裏配管３の貫通部４は、図２、図４に示されるように、拡張パネル２の左右方向の中央部に左右対称状に形成されている。そして貫通部４は、対称線Ｌ１を、浴室の洗い場５側と浴槽６側との境界線Ｌ２に合わせて形成されている。
【００１６】
また拡張パネル２の下端部２ａは、図１〜図３に示されるように、床パン１の壁載せ部１ａの上面に合わされる水平状のビス止め面２ａ１と、このビス止め面２ａ１の奥側から垂直に立ち上げられている起立面２ａ２とで断面Ｌ字形に形成されている。また本発明品は、図２、図３に示されるように、起立面２ａ２にビスの頭部を逃すための平面視円弧状の凹み２ｃが、室外側に凹まれて且つ拡張パネル２の左右方向にわたって間隔をあけて複数形成されている。
【００１７】
また図１に示されるように、この実施形態の本発明品は、拡張パネル２と床パン１との間に斜めにわたされて拡張パネル２を垂直に支持する斜め材７と、この斜め材７に垂直状に取り付けられる縦材８とを備えて形成されている。斜め材７は、下端７ａが床パン１の浴槽６側の立ち上がり部１ｃの上面に固定され、上端７ｂが拡張パネル２の上部前面に固定されている。また縦材８は、平行一対状に配置され、下端８ａが斜め材７に夫々固定され、上端８ｂがカウンター９の下面に固定されている。カウンター９は、前面側にエプロン１０が取り付けられ、下側がエプロン１０で覆われている。
【００１８】
次にこの実施形態の本発明の施工例を説明する。
先ず作業者は、床パン１の壁載せ部１ａに拡張パネル２を載せ、ビス止め面２ａ１を壁載せ部１ａに、円弧状の凹み２ｃの位置でビス止めする。次に作業者は、斜め材７を床パン１の立ち上がり部１ｃの上面と、拡張パネル２の上部前面との間に斜めに渡し、拡張パネル２を斜め材７で垂直状に固定する。
【００１９】
その後作業者は、拡張パネル２の壁載せ箇所に、壁パネル１１（図１、図４参照）を載せて固定する。これにより床パン１の立ち上がり面１ｂから、寸法Ｄ（図１参照）の分だけ、浴室スペースが広がる。また作業者は、建築躯体１２と拡張パネル２との間に立ち上げられている壁裏配管３を、貫通部４を介して室内側に引き込む。そして作業者は、拡張パネル２の前側に、カウンター９を、斜め材７及び縦材８を用いて固定する。また作業者は、壁裏配管３の引き込み端を、洗い場５側の給水栓１３（図４参照）や、浴槽６側の接続箇所に接続する。そしてその後、カウンター９の下部をエプロン１０で覆う。
【００２０】
以上の処において、本発明は、例えば図５に示されるように、壁裏配管３の貫通部４の上面４ａに、カウンター９を支持するための支持金具１４が取り付けられるのでも良い。支持金具１４は、斜め前方に上り傾斜状の傾斜面部１４ａと、この傾斜面部１４ａの上端から後方に水平に折り返されている水平支持面部１４ｂとを備えて形成されている。そして傾斜面部１４ａの下端は、壁裏配管３の貫通部４の上面４ａに固定され、水平支持面部１４ｂの後端の上向き折り返し片は、拡張パネル２の前面上部に固定される。カウンター９は、この支持金具１４の水平支持面部１４ｂに載せられ、拡張パネル２に取り付けられる。
【００２１】
また拡張パネル２は、図６に示されるように、立ち上がり面部２ｂの前面上部に、ハンガー状の接続具１５が設けられ、この接続具１５を介して浴槽６と固定されるのでも良い。本発明では、拡張パネル２の立ち上がり面部２ｂが外側に凹まれているから、立ち上がり面部２ｂに、この種の接続具１５の取り付けが可能になり、浴槽６を建築躯体１２側に寄せて堅固に固定することができる。
【図面の簡単な説明】
【００２２】
【図１】本発明の浴室ユニットの要部断面図である。
【図２】拡張パネルの斜視図である。
【図３】図２のＩＩＩ−ＩＩＩ線における拡大断面図である。
【図４】同上浴室ユニットの要部斜視図である。
【図５】同上浴室ユニットの他の実施形態を示す要部断面図である。
【図６】同上浴室ユニットの更に他の実施形態を示す要部断面図である。
【符号の説明】
【００２３】
１      床パン
１ａ    壁載せ部
２      拡張パネル
２ａ    下端部
２ｂ    立ち上がり面部
３      壁裏配管
４      貫通部
【図１】
2008248497.tif 000003
【図２】
2008248497.tif 000004
【図３】
2008248497.tif 000005
【図４】
2008248497.tif 000006
【図５】
2008248497.tif 000007
【図６】
2008248497.tif 000008